(57)【要約】【課題】  各種情報を表示する表示部を備える携帯電子機器において、製造効率の向上を図りつつ所望のデザインを容易に施すことができるようにする。【解決手段】  筐体３内部に配された表示部１３の表示面１３ａを前記筐体３に形成された開口部１６から外方に露出させると共に、前記筐体３の表面３ｃに透明な板状部材２３を固定して前記開口部１６を閉塞するように構成した携帯電子機器であって、前記筐体３の表面３ｃに対向する前記板状部材２３の一端面２３ａに装飾を施し、前記筐体３の表面３ｃを見えなくする装飾を施した略板状の装飾部材２９を、前記板状部材２３の一部とその厚さ方向に重ねた状態で前記筐体３の表面３ｃに固定した携帯電子機器を提供する。【選択図】      図２
2007088139.tif 000002
【特許請求の範囲】
【請求項１】
筐体内部に配された表示部の表示面を前記筐体に形成された開口部から外方に露出させると共に、前記筐体の表面に透明な板状部材を固定して前記開口部を閉塞するように構成した携帯電子機器であって、
前記筐体の表面に対向する前記板状部材の一端面に装飾を施し、
前記筐体の表面を見えなくする装飾を施した略板状の装飾部材を、前記板状部材の一部とその厚さ方向に重ねた状態で前記筐体の表面に固定することを特徴とする携帯電子機器。
【請求項２】
相互に対向する前記板状部材及び前記装飾部材の少なくとも何れか一方の対向面に、該対向面から前記厚さ方向に窪む切欠部が形成されていることを特徴とする請求項１に記載の携帯電子機器。
【請求項３】
前記筐体の表面に対向する前記板状部材及び前記装飾部材の一端面と反対側に位置して外方に露出する前記板状部材及び前記装飾部材の他端面が、略同一平面を形成することを特徴とする請求項２に記載の携帯電子機器。
【請求項４】
前記板状部材及び前記装飾部材が、同じ材料により形成されていることを特徴とする請求項１から請求項３のいずれか１項に記載の携帯電子機器。
【請求項５】
前記板状部材及び前記装飾部材に、同じ色や模様等の装飾が施されていることを特徴とする請求項１から請求項４のいずれか１項に記載の携帯電子機器。
【請求項６】
前記筐体が、その厚さ方向に結合可能に形成された２つのケース部材により構成され、
これら２つのケース部材を相互に結合状態に固定する結合部が前記筐体の表面から外方に露出し、
前記装飾部材が、前記結合部を覆う位置に配されることを特徴とする請求項１から請求項５のいずれか１項に記載の携帯電子機器。
【発明の詳細な説明】
【技術分野】
【０００１】
この発明は、各種情報を表示する表示部を備える携帯電子機器に関する。
【背景技術】
【０００２】
従来、携帯電話機、ＰＤＡ（Personal Digital Assistants）、デジタルカメラ、デジタルビデオカメラ、ノート型パーソナルコンピュータ等の携帯電子機器としては、筐体内部に各種情報を表示する表示部を備えると共に、筐体に表示部の表示面を外方に露出させる開口部を形成したものがある。ここで、開口部は、筐体の表面に貼り付けられる透明な板状部材により閉塞されており、この板状部材により上記表示面の保護が図られている。
また、従来の携帯電子機器には、筐体の表面から外方に露出するねじ留め部を覆い隠す板状の隠蔽部材を筐体の表面に貼り付けて、外観上の見栄えの改善を図ったものがある（例えば、特許文献１参照。）。
さらに、近年の携帯電子機器は、そのデザイン性向上を図ることを目的として、これら板状部材や隠蔽部材を相互に隣接して配すると共に、筐体の表面に対向する板状部材や隠蔽部材の表面に、筐体とは異なる色や模様を施した印刷層を形成したり、隠蔽部材自体に筐体とは異なる色や模様を形成したものがある。
【特許文献１】特開２００３−３３３１５０号公報
【発明の開示】
【発明が解決しようとする課題】
【０００３】
しかしながら、上記従来の携帯電子機器では、隠蔽部材や板状部材の寸法精度や、これらを筐体の表面に貼り付ける際のばらつきに基づいて、板状部材と隠蔽部材との間に隙間が生じると、筐体の色や模様が隙間から外方に露出するため、所望のデザインを施した携帯電子機器を提供できないという問題がある。
また、上記隙間が生じないようにするためには、治具等を用いて板状部材及び隠蔽部材の相対的な位置決めを行った上で、筐体の表面に貼り付ける必要があるため、板状部材及び隠蔽部材の貼り付け作業が面倒になり、携帯電子機器の製造効率が低くなるという問題もある。
この発明は、上述した事情に鑑みてなされたものであって、製造効率の向上を図りつつ所望のデザインを容易に施すことができる携帯電子機器を提供することを目的としている。
【課題を解決するための手段】
【０００４】
上記課題を解決するために、この発明は以下の手段を提案している。
本発明に係る携帯電子機器は、筐体内部に配された表示部の表示面を前記筐体に形成された開口部から外方に露出させると共に、前記筐体の表面に透明な板状部材を固定して前記開口部を閉塞するように構成した携帯電子機器であって、前記筐体の表面に対向する前記板状部材の一端面に装飾を施し、前記筐体の表面を見えなくする装飾を施した略板状の装飾部材を、前記板状部材の一部とその厚さ方向に重ねた状態で前記筐体の表面に固定したことを特徴とする。
【０００５】
また、本発明に係る携帯電子機器は、相互に対向する前記板状部材及び前記装飾部材の少なくとも何れか一方の対向面に、該対向面から前記厚さ方向に窪む切欠部が形成されていることを特徴とする。
さらに、本発明に係る携帯電子機器は、前記筐体の表面に対向する前記板状部材及び前記装飾部材の一端面と反対側に位置して外方に露出する前記板状部材及び前記装飾部材の他端面が、略同一平面を形成することを特徴とする。
【０００６】
また、本発明に係る携帯電子機器は、前記板状部材及び前記装飾部材が、同じ材料により形成されていることを特徴とする。
さらに、本発明に係る携帯電子機器は、前記板状部材及び前記装飾部材に、同じ色や模様等の装飾が施されていることを特徴とする。
【０００７】
また、本発明に係る携帯電子機器は、前記筐体が、その厚さ方向に結合可能に形成された２つのケース部材により構成され、これら２つのケース部材を相互に結合状態に固定する結合部が前記筐体の表面から外方に露出し、前記装飾部材が前記結合部を覆う位置に配されることを特徴とする。
【発明の効果】
【０００８】
この発明によれば、板状部材の一端面及び装飾部材に施された装飾が筐体の表面上において相互に重なることになるため、板状部材や装飾部材の寸法精度や、これらを筐体の表面に固定する際のばらつきに基づいて、板状部材と装飾部材との間に隙間が生じることを容易に防止できる。すなわち、前述した隙間から筐体の色や模様等の装飾が外方に露出することを防止して、所望のデザインを施した携帯電子機器を容易に提供することができる。
また、筐体に板状部材及び装飾部材を固定する際に、これらの相対的な位置決めについて高い精度は要求されないため、筐体表面への板状部材及び装飾部材の取り付け作業を容易に行うことができ、結果として携帯電子機器の製造効率向上を図ることもできる。
【発明を実施するための最良の形態】
【０００９】
図１及び図２は本発明に係る一実施形態を示しており、ここで説明する実施の形態は、この発明を携帯電話機に適用した場合のものである。
図１に示すように、この実施の形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各端部２ａ，３ａ（以下、基端部２ａ，３ａと呼ぶ。）同士を連結するように配されている。
【００１０】
第１の筐体２の内部には、通話キー、終話キー等の各種の押圧可能な操作キー６を備えたキー操作部７及び通話用のマイクロフォン部９が設けられている。キー操作部７の各操作キー６は、２つの筐体２，３を相互に重ね合わせた状態において第２の筐体３に対向する第１の筐体２の対向面（表面）２ｃから外方に露出している。マイクロフォン部９は、基端部２ａとは反対側に位置する第１の筐体２の先端部２ｂ側に配されており、第１の筐体２の対向面２ｃから第１の筐体２の内部空間に貫通する開口部２ｄを介して外方に露出している。なお、図中の符号１１は、基地局と無線通信を行うためのアンテナである。
【００１１】
第２の筐体３の内部には、ＬＣＤ（Liquid Crystal Display）等、表面に各種情報を表示する表示面１３ａを有する表示部１３及び通話用のスピーカ部１５が設けられている。表示部１３の表示面１３ａは、２つの筐体２，３を相互に重ね合わせた状態において第１の筐体２に対向する第２の筐体３の対向面（表面）３ｃ側から外方に露出している。より具体的には、表示部１３の表示面１３ａは、第２の筐体３の対向面３ｃから内部空間に貫通して形成された略矩形状の開口部１６を介して外方に露出している。
また、スピーカ部１５は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１２】
この第２の筐体３は、第２の筐体３の対向面３ｃ側を構成するフロントケース（ケース部材）１７、及び、第２の筐体３の外面３ｅ側を構成するリアケース（ケース部材）１９を備えている。これらフロントケース１７及びリアケース１９は、互いに第２の筐体３の厚さ方向に結合可能となっており、図２に示すように、ネジ（結合部）２１の締結力によって相互に結合された状態に保持されている。このネジ２１の一端部２１ａは、第２の筐体３の外方側に露出している。
なお、第２の筐体３の対向面３ｃは、表示部１３の表示面１３ａを露出させる開口部１６の周縁や、ネジ２１の一端部２１ａを配した位置に形成される平坦面１７ａと、平坦面１７ａとの間に段差を介して平坦面１７ａよりも高い位置に形成される段差面１７ｂとを有している。段差面１７ｂは、ネジ２１の一端部２１ａを配した領域及び開口部１６の周縁領域の周囲に形成されており、平坦面１７ａから突出するネジ２１の一端部２１ａの高さよりも高い位置に形成されている。
【００１３】
開口部１６の周縁に位置する第２の筐体３の平坦面１７ａには、ポリカーボネートやアクリル等の透明な材料を略板状に形成したカバーガラス（板状部材）２３が貼り付けられており、このカバーガラス２３により開口部１６が閉塞されている。カバーガラス２３のうち、第２の筐体３の平坦面１７ａに対向するカバーガラス２３の一端面２３ａには、第２の筐体３の対向面３ｃとは異なる色・模様等の装飾を施した印刷層２５が形成されており、この印刷層２５により第２の筐体３の平坦面１７ａがカバーガラス２３を介して外方側から視認されないようになっている。
【００１４】
カバーガラス２３の厚さ寸法は、平坦面１７ａから段差面１７ｂまでの高さ寸法よりも高く形成されている。また、段差面１７ｂに隣接するカバーガラス２３の周縁部には、上記一端面２３ａと反対側に位置して外方に露出するカバーガラス２３の他端面（対向面）２３ｂからカバーガラス２３の厚さ方向に窪む切欠部２７が形成されている。この切欠部２７の底面２７ａは、第２の筐体３の段差面１７ｂと共に略同一平面を形成している。
【００１５】
また、第２の筐体３の段差面１７ｂには、カバーガラス２３と同じ材料を略板状に形成した目隠し部材（装飾部材）２９が貼り付けられており、この目隠し部材２９によりネジ２１の一端部２１ａが覆い隠されている。第２の筐体３の段差面１７ｂ及びネジ２１の一端部２１ａに対向する目隠し部材２９の一端面２９ａには、カバーガラス２３と同じ色や模様等の装飾を施した印刷層３１が形成されており、この印刷層３１によりネジ２１の一端部２１ａや第２の筐体３の対向面３ｃが目隠し部材２９を介して外方側から視認されないようになっている。
【００１６】
この目隠し部材２９の一部は、カバーガラス２３の切欠部２７の底面２７ａにも貼り付けられている。すなわち、カバーガラス２３及び目隠し部材２９の一部が、これらの厚さ方向に重ねて配されることになる。また、目隠し部材の厚さ寸法は、カバーガラス２３の切欠部２７の深さ寸法に略一致するように設定されており、上述のようにカバーガラス２３及び目隠し部材２９を配した状態においては、上記一端面２９ａと反対側に位置して外方に露出する目隠し部材２９の他端面２９ｂと、カバーガラス２３の他端面２３ｂとにより略同一平面が形成されることになる。
【００１７】
上記のように、この携帯電話機１によれば、第２の筐体３の対向面３ｃに貼り付けられるカバーガラス２３及び目隠し部材２９の一部を相互に重ねて配することにより、カバーガラス２３及び目隠し部材２９の一端面２３ａ，２９ａに施された装飾が第２の筐体３の対向面３ｃ上において相互に重なることになる。このため、カバーガラス２３や目隠し部材２９の寸法精度や、これらを第２の筐体３の対向面３ｃに貼り付ける際のばらつきに基づいて、カバーガラス２３と目隠し部材２９との間に隙間が生じることを容易に防止できる。したがって、この隙間から第２の筐体３の色や模様等の装飾が外方に露出することを確実に防止して、所望のデザインを施した携帯電話機１を容易に提供することが可能となる。
特に、目隠し部材２９はフロントケース１７及びリアケース１９を相互に固定するためのネジ２１を覆い隠しているため、これらフロントケース１７及びリアケース１９により構成される第２の筐体３の構造に捕らわれないデザイン性の高い携帯電話機１を提供することができる。
【００１８】
また、第２の筐体３にカバーガラス２３及び目隠し部材２９を貼り付ける際に、これらの相対的な位置決めについて高い精度は要求されないため、第２の筐体３の対向面３ｃへのカバーガラス２３及び目隠し部材２９の取り付け作業を容易に行うことができ、結果として携帯電話機１の製造効率向上を図ることもできる。
さらに、及び目隠し部材２９をカバーガラス２３の切欠部２７に当接させることで、カバーガラス２３と目隠し部材２９との相対的な位置決めを容易に行うことができるため、第２の筐体３の対向面３ｃへのカバーガラス２３及び目隠し部材２９の取り付け作業をさらに容易に行うことができる。
【００１９】
また、第２の筐体３の外方側に露出するカバーガラス２３及び目隠し部材２９の他端面２３ｂ，２９ｂを同一平面に形成したり、カバーガラス２３及び目隠し部材２９を同じ材料から形成したり、また、カバーガラス２３及び目隠し部材２９に同じ装飾を施したりすることにより、カバーガラス２３及び目隠し部材２９が１つの部材によって形成されているように見せることができる。したがって、一体感のあるデザインを有する携帯電話機１を提供できる。
【００２０】
なお、上記の実施形態において、カバーガラス２３や目隠し部材２９は、第２の筐体３の平坦面１７ａや段差面１７ｂに貼り付けられるとしたが、これに限ることはなく、少なくとも平坦面１７ａや段差面１７ｂに固定されていればよい。すなわち、カバーガラス２３や目隠し部材２９は、例えば、第２の筐体３の平坦面１７ａや段差面１７ｂに係合するように構成されるとしても構わない。
また、カバーガラス２３に切欠部２７を形成し、切欠部２７の底面２７ａに目隠し部材２９の一部を当接させるとしたが、これに限ることはなく、例えば、カバーガラス２３に対向する目隠し部材２９の一端面（対向面）２９ａに、この一端面２９ａから目隠し部材２９の厚さ方向に窪む切欠部を形成し、この切欠部の底面にカバーガラス２３を当接させるとしても構わない。また、カバーガラス２３及び目隠し部材２９の両方に同様の切欠部を形成し、これら切欠部の底面同士を当接させるとしてもよい。
【００２１】
さらに、第２の筐体３の対向面３ｃは、相互に高さの異なる平坦面１７ａ及び段差面１７ｂを有し、これら平坦面１７ａ及び段差面１７ｂのそれぞれにカバーガラス２３及び目隠し部材２９を固定するとしたが、これに限ることはなく、例えば、１つの平坦な面から構成されるとしても構わない。この場合でも、上述したカバーガラス２３や目隠し部材２９に形成される切欠部の形成位置を適宜設定することで、カバーガラス２３や目隠し部材２９の各他端面２３ｂ，２９ｂにより略同一平面を形成することができる。
また、目隠し部材２９の他端面２９ｂとカバーガラス２３の他端面２３ｂとにより略同一平面が形成されるとしたが、これに限ることはなく、少なくともカバーガラス２３及び目隠し部材２９の一部がその厚さ方向に重ねて配されていればよい。
【００２２】
さらに、目隠し部材２９は、カバーガラス２３と同じ材料により形成されると共に、その一端面２９ａにカバーガラス２３の印刷層２５と同じ装飾を施した印刷層３１を形成して構成されるとしたが、これに限ることはなく、目隠し部材２９には、少なくとも第２の筐体３とは異なる色や模様等の装飾が施されていればよい。
すなわち、目隠し部材２９は、例えば、カバーガラス２３と同じ材料により形成されると共に、カバーガラスの印刷層２５とは異なる色や模様等の装飾を施した印刷層を形成して構成されるとしてもよい。また、目隠し部材２９は、例えば、カバーガラス２３と異なる不透明な材料から形成されると共に、カバーガラス２３と同じ色や模様等の装飾、若しくは、異なる色や模様等の装飾を施して構成されるとしても構わない。
また、カバーガラス２３や目隠し部材２９には、第２の筐体３と同じ色や模様等の装飾が施されるとしても構わない。
【００２３】
また、目隠し部材２９はネジ２１を覆い隠す役割を果たすとしたが、これに限ることはなく、少なくとも第２の筐体３の対向面３ｃを覆い隠すと共に携帯電話機１を装飾する役割を果たしていればよい。
さらに、ヒンジ部５によって互いに連結された２つの筐体２，３を備える携帯電話機１について述べたが、これに限ることはなく、例えば、１つの筐体から構成される携帯電話機であっても構わない。
【００２４】
さらに、携帯電話機に限ることはなく、例えば、ＰＤＡやデジタルカメラ、デジタルビデオカメラ、ノート型パーソナルコンピュータに適用しても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２５】
【図１】この発明の一実施形態に係る携帯電話機の第１、第２の筐体を相互に開いた状態を示す概略斜視図である。
【図２】図１の携帯電話機において、第２の筐体の要部の概略を示す拡大断面図である。
【符号の説明】
【００２６】
１  携帯電話機（携帯電子機器）
３  第２の筐体
３ｃ  対向面（表面）
１６  開口部
１７  フロントケース（ケース部材）
１９  リアケース（ケース部材）
２１  ネジ（結合部）
２３  カバーガラス（板状部材）
２３ａ  一端面
２３ｂ  他端面（対向面）
２７  切欠部
２９  目隠し部材（装飾部材）
２９ａ  一端面
２９ｂ  他端面
【図１】
2007088139.tif 000003
【図２】
2007088139.tif 000004